(57)【要約】少なくとも１種類のエクリン誘導化合物を含む、物品の表面上に配置されている潜在バイオメトリクスを用意し；潜在バイオメトリクスを、ニンヒドリン及び１，８−ジアザフルオレン−９−オンから選択される少なくとも１種類の画像化剤、及び少なくとも１種類のＣ３〜Ｃ４ヒドロフルオロカーボンを含むキャリア溶媒を含む現像液と接触させ；そして、画像化剤をエクリン誘導化合物と反応させて顕在生理学的バイオメトリクスを生成させる；ことを含む、潜在生理学的バイオメトリクスを顕在生理学的バイオメトリクスに変化させる方法及び組成物を提供する。【選択図】なし【特許請求の範囲】
【請求項１】
皮膚隆線のパターンの少なくとも一部に対応するパターンで配列されている少なくとも１種類のエクリン誘導化合物を含む、物品の表面上に配置されている潜在バイオメトリクスを用意し；
潜在バイオメトリクスを、ニンヒドリン、ヒドリンダンチン、１，８−ジアザフルオレン−９−オン、１，２−インダンジオン、及びそれらの誘導体から選択される少なくとも１種類の画像化剤、及び少なくとも１種類のＣ３〜Ｃ４ヒドロフルオロカーボンを含むキャリア溶媒を含む現像液と接触させ；そして
画像化剤をエクリン誘導化合物と反応させて顕在生理学的バイオメトリクスを生成させる；
ことを含む、潜在生理学的バイオメトリクスを顕在生理学的バイオメトリクスに変化させる方法。
【請求項２】
潜在生理学的バイオメトリクスが指紋である、請求項１に記載の方法。
【請求項３】
ａ．ニンヒドリン、ヒドリンダンチン、１，２−インダンジオン、及び１，８−ジアザフルオレン−９−オンから選択される画像化剤；及び
ｂ．少なくとも１種類のＣ３〜Ｃ４ヒドロフルオロカーボンを含むキャリア溶媒；
を含む組成物。
【請求項４】
キャリア溶媒が少なくとも約９９重量％のＣ３〜Ｃ４ヒドロフルオロカーボンを含む、請求項８に記載の組成物。
【請求項５】
ヒドロフルオロカーボンが、１，１，１，３，３−ペンタフルオロプロパン；１，１，２，２，３−ペンタフルオロプロパン；１，１，１，３，３，３−ヘキサフルオロプロパン；１，１，１，２，３，３，３−ヘプタフルオロプロパン；１，１，１，３，３−ペンタフルオロブタン；及びこれらの混合物からなる群から選択される、請求項８に記載の組成物。
【請求項６】
キャリア溶媒が、少なくとも１種類のＣ３〜Ｃ４ヒドロフルオロカーボンと１種類以上の有機化合物との共沸混合物を更に含む、請求項８に記載の組成物。
【請求項７】
画像化剤がニンヒドリンである、請求項８に記載の組成物。
【請求項８】
画像化剤が１，８−ジアザフルオレン−９−オンである、請求項８に記載の組成物。
【請求項９】
画像化剤がヒドリンダンチンである、請求項８に記載の組成物。
【請求項１０】
画像化剤が１，２−インダンジオンである、請求項８に記載の組成物。
【発明の詳細な説明】
【技術分野】
【０００１】
本出願は、２００８年４月１４日出願の米国仮出願６１／０４４，８７３（参照として本明細書中に包含する）の優先権の利益を請求する。
本発明は、潜在生理学的マーカーを検出するための組成物及び方法に関する。より詳しくは、本発明は有機溶媒を含む潜在指紋検出配合物に関する。
【背景技術】
【０００２】
指紋は、犯罪容疑者を犯罪に結びつけるために用いることができ、したがって犯罪現場において採取することのできる最も価値のある証拠の１つである。指紋は、一般に３つのカテゴリー：顕在指紋；圧痕指紋；及び潜在指紋；に分類される。顕在指紋及び圧痕指紋は肉眼で容易に見ることができ、写真撮影によって記録することができるが、潜在指紋は、化学的、物理的、又は電気的処理技術を用いずには視覚的に検出することができない。殆どの潜在指紋は、通常は皮膚の摩擦隆線に対応する痕跡として生じる物品の表面上の皮膚の自然分泌物の見えない付着物である。エクリン腺によって産生されるこれらの分泌物は、通常は水、可溶性アミノ酸、ペプチド、塩、脂質などを含む。これらの付着物を視覚的に検出しうる画像に変化させることができる。痕跡が人の指、掌等の独特の摩擦隆線に対応するパターンを形成している場合には、潜在指紋は指紋鑑定において有用である可能性がある。
【０００３】
潜在指紋を視覚的に検出し分析するためには、好ましくはキャリア溶媒中に画像化剤を含む組成物で現像することによって残留物を処理しなければならない。例えば、１９１０年に発見されたニンヒドリン（Ruhemannら, J. Chem. Soc. 1910, 97, 1438-49）は、長い間潜在指紋を検出するために用いられている（Odenら, Nature, 1954, 173, 449）。より最近では、１，８−ジアザフルオレン−９−オン（ＤＦＯ）及び１，２−インダンジオンのような他の化合物が、潜在指紋を画像化するための画像化剤として用いられている（例えば、Poundsら, J. For. Sci., 1990, 35(1), 169-175、及びGardenerら, J. For. Sci., 2003, 48(6), 1-5を参照）。これらの画像化剤はいずれも、エクリン分泌物中に存在しているペプチド及び／又はタンパク質から誘導されるアミノ酸及びアミン（例えば末端アミン又はリシン残渣）と反応して、視覚的に検出しうる色素を生成する。特に、ニンヒドリンは、一連の反応によってアミノ酸をアルデヒド、アンモニア、及びＣＯ２に分解する。ニンヒドリンの一部はヒドリンダンチンに還元される。残余のニンヒドリンの一部は、アンモニア及びヒドリンダンチンと縮合してルーエマンパープルとしても知られている濃青色又は紫色の顔料を生成する。したがって、指紋に対応する隆線のようなパターン中にエクリン残留物が存在すると、この顔料によって潜在指紋が視覚的に検出しうる画像になる。また、ＤＦＯはエクリン残留物中のアミノ酸と相互作用して淡桃色の画像を生成する。ＤＦＯ−アミノ酸コンプレックスは強く発光するので、この観察画像は５６０〜６２０ｎｍの光を用いることによって増強することができる（Champodら, "Fingerprints and Other Ridge Skin Impressions", 第１版, CRC Press, 2004, 128-131）。
【０００４】
ニンヒドリン又はＤＦＯのような画像化剤に加えて、現像組成物は、通常はキャリア溶媒を含む。例えば、ある種のニンヒドリン配合物は、キャリア溶媒として１，１，２−トリクロロトリフルオロエタン（ＣＦＣ−１１３）を用いていた（Hewlettら, J. For. Indentification, 1999, 49(4), 338）。しかしながら、地球オゾン層に対するその悪影響のために、ＣＦＣ−１１３はもはや商業的には用いられていない。
【０００５】
１，１−ジクロロ−１−フルオロエタン（ＨＣＦＣ−１４１ｂ）のようなヒドロクロロフルオロカーボン（ＨＣＦＣ）もまた、幾つかの用途においてはキャリア溶媒として有用であるが、ＣＦＣに比べてより低いオゾン層破壊係数（ＯＤＰ）を有する。したがって、ＨＣＦＣはＣＦＣキャリア溶媒の代替物として通常用いられる。しかしながら、これらのタイプの化合物も、それらの比較的高い地球温暖化係数（ＧＷＰ）のために現在では商業使用が廃止されている。
【０００６】
ヒドロフルオロカーボン（ＨＦＣ）は、一般にＨＣＦＣに比べてより低いＧＷＰを有しているが、ＨＦＣを画像化剤用のキャリア溶媒として好適な代替化合物として認めることは困難である。例えば、ＨＦＣ−４３１０ｍｅｅは可能性のある代替キャリア溶媒として研究されているが、この化合物は比較的高いＧＷＰ（ＣＯ２に対して１５００）を有しており、ＤＦＯ用のキャリア溶媒としては有効でない（Hewlettら）。
【先行技術文献】
【非特許文献】
【０００７】
【非特許文献１】Ruhemannら, J. Chem. Soc. 1910, 97, 1438-49
【非特許文献２】Odenら, Nature, 1954, 173, 449
【非特許文献３】Poundsら, J. For. Sci., 1990, 35(1), 169-175
【非特許文献４】Gardenerら, J. For. Sci., 2003, 48(6), 1-5
【非特許文献５】Champodら, "Fingerprints and Other Ridge Skin Impressions", 第１版, CRC Press, 2004, 128-131
【非特許文献６】Hewlettら, J. For. Indentification, 1999, 49(4), 338
【発明の概要】
【発明が解決しようとする課題】
【０００８】
したがって、これらの材料に起因する制限及び環境的な欠点を有しない、ＣＦＣ及びＨＣＦＣの代替物として好適なキャリア溶媒を確認する必要性が未だ存在する。
【課題を解決するための手段】
【０００９】
本出願人は、Ｃ３〜Ｃ４ヒドロフルオロカーボンを、潜在指紋及び他のバイオメトリクスを検出するのに用いる組成物におけるキャリア溶媒として有効に用いることができることを見出した。特に本出願人は、これらのキャリア溶媒は、一般に０に近いオゾン層破壊係数を有し；低い地球温暖化係数（例えば１０００より低い）を有し；揮発性で、無毒で、不燃性であり；エクリン残留物を画像化することができる化学薬品に関して十分な溶解度を示し；比較的非極性で、画像を捕捉するために指紋を適当に現像することが可能である；ことを見出した。
【００１０】
したがって、少なくとも１種類のＣ３〜Ｃ４ヒドロフルオロカーボン、好ましくはペンタフルオロプロパン又はペンタフルオロブタンを含むキャリア溶媒中に溶解しているニンヒドリン、ヒドリンダンチン、１，８−ジアザフルオレン−９−オン、１，２−インダンジオン、及びこれらの誘導体からなる群から選択される少なくとも１種類の画像化剤を含む組成物が提供される。
【００１１】
本発明の他の形態によれば、（ａ）物品の表面上に付着した潜在バイオメトリクスを現像組成物と接触させ（ここで、バイオメトリクスはエクリン腺から誘導される残留物のパターンを含み、現像組成物は、少なくとも１種類のＣ３〜Ｃ４ヒドロフルオロカーボンを含むキャリア溶媒中に、ニンヒドリン、１，８−ジアザフルオレン−９−オン、及び１，２−インダンジオンからなる群から選択される少なくとも１種類の画像化剤を含む）；そして（ｂ）画像化剤を残留物と反応させて色素を生成させる（ここで、色素はパターンの少なくとも一部に対応する視覚的に検出しうる画像を形成する）；ことを含む、潜在生理学的バイオメトリクスの視覚的に検出しうる画像を生成させる方法が提供される。
【発明を実施するための形態】
【００１２】
本発明の好ましい態様においては、現像組成物は、Ｃ３〜Ｃ４ヒドロフルオロカーボンキャリア溶媒、及び潜在バイオメトリクスを可視画像にすることができる画像化剤を含む。
【００１３】
ここで用いる「バイオメトリクス」という用語は、人間によって生成した、人間の皮膚の皮膚隆線の形状、形態、及び／又はパターンと関係する生理学的な付着物、例えば指紋、掌の形状、足跡、足指紋などを意味する。好ましいバイオメトリクスとしては、指紋のような個人に結びつけることができる独特か又は稀少の印を形成するものが挙げられる。生理学的付着物の例としては、摩擦隆線の皮膚上に存在するエクリン腺の自然の分泌物から誘導される残留物が挙げられる。かかる残留物は、通常は、水、及び可溶性アミノ酸、ペプチド、塩、脂質などのような１種類以上の有機化合物を含む。具体的な有機化合物としては、アラニン、アスパラギン、アスパラギン酸、システイン、グルタミン酸、グルタミン、グリシン、プロリン、セリン、及びチロシンが挙げられる。
【００１４】
バイオメトリクスに関してここで用いる「潜在」という用語は、物体の表面に接触した人に由来する人体の一部の見えない痕跡を意味し、「見えない」という用語は装置又は現像プロセスを用いずには視覚的に感知できないことを意味する。
【００１５】
好ましいＣ３〜Ｃ４ヒドロフルオロカーボンは、一般式：
ＣｎＨｍＦｚ
（式中、ｎは２〜４からなる群から選択され、ｍは１〜４からなる群から選択され、式：ｚ＝（２ｎ＋２）−ｍに合致する群から選択される）
のものであり、但しヒドロフルオロカーボンのＧＷＰ値はＣＯ２に対して１０００以下である。本発明において有用なＣ３〜Ｃ４ヒドロフルオロカーボンの例としては、１，１，１，３，３−ペンタフルオロプロパン及び１，１，２，２，３−ペンタフルオロプロパンのようなペンタフルオロプロパン；１，１，１，３，３，３−ヘキサフルオロプロパンのようなヘキサフルオロプロパン；１，１，１，２，３，３，３−ヘプタフルオロプロパンのようなヘプタフルオロプロパン；１，１，１，３，３−ペンタフルオロブタンのようなペンタフルオロブタン；が挙げられる。キャリア溶媒はまた、これらの２種類以上の混合物を含んでいてもよい。好ましいヒドロフルオロカーボンとしては、ペンタフルオロプロパン：Ｃ３Ｈ３Ｆ５の異性体が挙げられる。好ましい異性体としては、１，１，２，２，３−ペンタフルオロプロパン（ＨＦＣ−２４５ｃａ）及び１，１，１，３，３−ペンタフルオロプロパン（ＨＦＣ−２４５ｆａ）が挙げられ、ＨＦＣ−２４５ｆａがより好ましい。ＨＦＣ−２４５ｆａは９５０のＧＷＰ計算値を有し、一方ＨＦＣ−２４５ｃａは６４０のＧＷＰ計算値を有する。
【００１６】
ペンタフルオロブタン：Ｃ４Ｈ５Ｆ５の異性体も、本発明において用いることが意図される。ペンタフルオロブタンの多くの異性体が可能であるが、本発明において用いるのに最も好ましい異性体は１，１，１，３，３−ペンタフルオロブタン（ＨＦＣ−３６５ｍｆｃ）である。ＨＣＦ−３６５ｍｆｃは８９０のＧＷＰ計算値を有する。
【００１７】
キャリア溶媒は１種類以上のヒドロフルオロカーボン共溶媒を含んでいてもよいことも意図される。好ましくは、共溶媒は次の有利性：潜在指紋画像化剤の溶解度を向上させる；共溶媒のＧＷＰ値を減少させる；並びに、例えばよりコスト高のキャリア溶媒が使用する共溶媒と比較して所望の溶解度を与える場合には、より高価な画像化剤の使用を最小にする；の１以上を得るように選択する。本発明において用いる共溶媒としては、ペンタフルオロプロパン類とペンタフルオロブタン類との混合物が挙げられる。ＨＦＣ−２４５ｆａ及びＨＦＣ−３６５ｍｆｃから誘導される共溶媒混合物が、本出願のために特に好適である。かかる混合物は、約１重量部〜約９９重量部のＨＦＣ−２４５ｆａの範囲であり、ＨＦＣ−３６５ｍｆｃに関する対応する値は９９部〜１部の範囲である。
【００１８】
本発明の溶液は、ヒドロフルオロカーボンと種々の有機化合物との共沸混合物又は共沸様混合物を含んでいてよい。可能な有機化合物としては、他のヒドロフルオロカーボン又はヒドロフルオロエーテルが挙げられる。他のヒドロフルオロカーボンの代表例は、商業的に入手できるものであり、１，１，２，２，３−ペンタフルオロプロパン（ＨＦＣ−２４５ｃａ）、１Ｈ−ヘプタフルオロプロパン（ＨＦＣ−２２７ｅａ）、１，１，１，３，３，３−ヘキサフルオロプロパン（ＨＦＣ−２３６ｆａ）、１，１−ジフルオロエタン（ＨＦＣ−１５２ａ）、及び２Ｈ，３Ｈ−デカフルオロペンタンを含むリストから選択することができる。ヒドロフルオロエーテルの代表例は、メチルノナフルオロブチルエーテルとメチルノナフルオロイソブチルエーテルとのとの混合物（この混合物はＨＦＥ−７１００として販売されている）、及び１，１，２，２−テトラフルオロメチルエーテル（ＨＦＥ−２５４ｐｃ）である。ＨＦＣ−２４５ｆａ／ヒドロフルオロカーボン又はヒドロフルオロエーテル、並びにＨＦＣ−３６５ｍｆｃ／ヒドロフルオロカーボン又はヒドロフルオロエーテルの共沸混合物の組成は、広範囲に変化させることができる。これらの組成物に関するＨＦＣ／他の成分の比の代表例は、９９〜１重量％であり、より好ましい比は９９〜３０重量％であり、９９〜５０重量％が最も好ましい。
【００１９】
好ましい画像化剤は、潜在バイオメトリクスの残留物と接触させた後にそのバイオメトリクスを可視画像にすることができるものである。通常は、この変化は、画像化剤又は１種類以上のその誘導体が視覚的に検出しうるか及び／又は蛍光を発する色素に転化する画像化剤と残留物の１種類以上の化合物との間の化学反応を包含する。好ましい画像化剤としては、ニンヒドリン、ヒドリンダンチン、１，８−ジアザフルオレン−９−オン、１，２−インダンジオン、及びそれらの誘導体が挙げられる。「誘導体」とは、参照する化合物に機能的及び／又は構造的に関連する化合物を意味する。誘導体としては、参照する化合物を包含する反応の生成物又は副生成物が挙げられるが、必ずしもこれらに限定されない。
【００２０】
現像組成物は、好ましくは、まず所望の画像化剤を、少量の開始溶媒、好適な溶媒、又は溶媒ブレンド中に溶解することによって形成する。この初期溶解のために好ましい開始溶媒の例としては、トランスジクロロエチレン、及び有機アルコール、好ましくはメチル又はエチルアルコールが挙げられる。例えば、約１００ｍｇの画像化剤を１ｍＬのエタノール中に溶解することができる。これらの「原液」をキャリア溶媒、則ち１種類又は複数のＣ３〜Ｃ４ヒドロフルオロカーボンで更に希釈して「調製溶液」を形成する。画像化剤は広範囲の濃度にわたって調製溶液中に存在させることができる。しかしながら、容易に適用するためには、本発明において用いる画像化剤は、ミリモルオーダーの濃度、例えば０．１ミリモル〜２００ミリモルの範囲の濃度を有する。好ましい濃度は０．１〜３０ミリモルである。
【００２１】
本発明の配合物は、従来技術の発明が示しているように画像化剤の溶解性を確保するために酢酸を用いる必要がないことに注意されたい。これは、酸を含まない配合物が長い寿命を有する配合物を与えるならば、本発明の更に他の有利性である。更に、酸を含まない配合物は、インクが滲んだり又は隆線パターンが混じり合わないという有利性も有する。
【００２２】
幾つかの好ましい態様においては、本発明の現像組成物は、２つの技術：（１）「浸漬」、及び（２）エアロゾル噴霧；の１つを用いて物品に適用する。しかしながら、これらの２つの技術の以下の説明は、本発明の範囲がこれらの２つの技術のみに限定されることを示唆又は暗示することは意図しない。ポンプ噴霧ボトルを介して配合物を適用することができる霧化のような他の適用技術を用いることが可能であることは、当業者には明らかである。
【００２３】
第１の方法においては、指紋で汚染された物品の表面を、好適な量の液体配合物を有する容器内に配置する。物品の表面を配合物と完全に接触させる。接触時間は変化させてよい。１秒〜１２０秒の接触時間が許容できることが分かった。最も好ましい時間は１０秒〜３０秒であるが、他の好ましい範囲としては約１〜約１５秒、及び約２〜約５秒が挙げられる。この時間枠によって、良好な隆線の細部を示す顕在化指紋が形成され、物品の表面上の付着物の可溶化によって細部が不明瞭になる可能性が最小になる。
【００２４】
第２の方法においては、エアロゾル缶から物品の表面上に画像化剤を噴霧することによって配合物を付着させる。画像化剤の濃度は上記に記載のものと同等であり、エアロゾル中に噴射剤を加えることによって生じる希釈は無視する。この用途のためにも用いることのできる噴射剤としては、缶から配合物を放出するのに好適な圧力を与える、窒素ガス、二酸化炭素ガス、及びヒドロフルオロカーボンベースのものが挙げられる。かかるヒドロフルオロカーボンガスの代表例は、ＨＦＣ−１３４ａとしても知られているテトラフルオロエタンである。このフルオロカーボンガスの使用は、この用途のために選択される噴射剤の範囲を限定することは意図しておらず、例示のみの目的で用いる。噴霧に必要な時間の量は重要ではないが、画像化剤を維持するのに可能な限り短くなくてはならない。１〜１５秒の代表例な噴霧時間が可能であり、２〜５秒の好ましい時間が最も好ましい。浸漬又は噴霧が完了した後、物品の表面をニートのキャリア液中に浸漬するか、或いはニートのキャリア液を物品の表面に噴霧することのいずれかによって、過剰の画像化剤を除去することができる。プロセスを完了させるためには、物品の表面を乾燥して顕在化指紋の最適の見え方を与えなければならない。乾燥は、蒸発プロセスを促進させるための手段として熱及び約１００℃の湿潤空気を適用することによりキャリア液を蒸発させることによって行うことができる。湿潤空気を使用することにより、特にニンヒドリンを画像化剤として用いる場合には最も明るい部分の隆線の細部の現像が促進される。
【００２５】
広範囲の物品材料を本発明において用いることができる。好ましい物品としては、繊維布帛、不織布、又は紙、例えばセルロース、ポリエステル、ポリエチレン、アクリル、ナイロン、ポリウレタン、オレフィン、又はこれらの幾つかの組み合わせから構成されるものが挙げられる。好ましい物品の例としては、コピー紙、ファイルカード用紙、新聞用紙、マニラ封筒、褐色紙袋、白黒及びカラーの新聞印刷物、ボール紙、Post-it付箋紙（3M Companyの製品）、及び銀行券のような紙幣が挙げられるが、これらに限定されない。
【００２６】
本発明の配合物に合致する他の目的は、インクが縞状化しないようにする画像化剤キャリアを提供することである。この目的にしたがい、上記の配合物を以下のインク：赤色、黒色、又は青色のボールペン（Papermate）、フレアペン、ゲルペン（Avery）、及びシャーピーペン；に対して試験した。いずれの配合物に関しても縞状化又は滲みは観察されなかった。
【実施例】
【００２７】
本発明をより容易に理解することができるように以下の実施例を参照するが、これらは本発明を例示することを意図するものであり、本発明の範囲を限定することは意図しない。
【００２８】
比較実施例１：
本実施例は、指紋画像化の品質を比較するための対照例として用いる、キャリアとして公知のＨＦＣ−４３１０ｍｅｅを用いる標準配合物の製造を説明する。
【００２９】
ニンヒドリン（５ｇ、０．０２８１モル）を、５ｍＬの酢酸エチル及び１０ｍＬの酢酸を含む１５ｍＬのエタノール中に溶解した。均一な溶液が得られた後、これを１ＬのＨＦＣ−４３１０ｍｅｅで希釈して、比較のために用いる最終配合物を調製した。
【００３０】
実施例２：
本実施例は、本発明による新規な配合物の製造を説明する。
ニンヒドリン（０．１０７９ｇ、６．０５×１０−４モル）を０．７５ｍＬのエタノール中に溶解した。ニンヒドリンが溶解した後、これを３０ｍＬのＨＦＣ−２４５ｆａで希釈した。均一な溶液が得られた。この溶液を、種々の物品上の指紋を現像するために用いた。
【００３１】
実施例３：
本実施例は、実施例１において記載した全ての成分を用い、本発明のヒドロフルオロカーボンを用いて有害な結果が得られないことを示すために用いる。
【００３２】
ニンヒドリン（０．２４３７ｇ、１．３６７×１０−３モル）を、０．１ｍＬの酢酸エチル及び０．２５ｍＬの酢酸を含む２．２５ｍＬのエタノール中に溶解した。ニンヒドリンが溶解した後、これを５０ｍＬのＨＦＣ−２４５ｆａで希釈した。均一な溶液が得られた。この溶液を、下記に記載する種々の物品上の指紋を現像するために用いた。
【００３３】
実施例４：
本実施例は、本特許による異なるＨＦＣの使用を示す。
ニンヒドリン（０．１４３１ｇ、８．０３×１０−４モル）を０．７５ｍＬのエタノール中に溶解した。ニンヒドリンが溶解した後、この溶液を３０ｍＬのＨＦＣ−３６５ｍｆｃで希釈した。均一な溶液が得られた。この溶液を、下記に記載する種々の物品上の指紋を現像するために用いた。
【００３４】
実施例５：
本実施例は、異なる画像化剤がＨＦＣ中に可溶であることを示すために用いる。
ＤＦＯ（０．０３４４ｇ、１．８８×１０−４モル）を１ｍＬのエタノール中に溶解した。これらの条件下では溶解は完了しなかった。濾過によって未溶解のＤＦＯを除去し、残りの均一な溶液を３０ｍＬのＨＦＣ−２４５ｆａで希釈した。この溶液を、下記に記載する種々の物品上の指紋を現像するために用いた。
【００３５】
実施例６：
これは、０．２５ｍＬの酢酸を用いてＤＦＯ試薬を完全に溶解させた他は実施例５の繰り返しであった。均一な溶液が得られた。
【００３６】
実施例７：
本実施例の配合物は、ＨＦＣをＨＦＣ−３６５ｍｆｃに変えた他は実施例６において記載したものと同一であった。均一な溶液が得られた。
【００３７】
実施例８：
本実施例の配合物は、キャリア溶媒としてＨＦＣ−２４６ｆａ及びＨＦＣ−３６５ｍｃｆの５０／５０混合物（体積比）を用いた他は実施例６と同一であった。均一な溶液が得られた。
【００３８】
実施例９：
本実施例の配合物は、キャリア溶媒がトランス−１，２−ジクロロエタンとＨＦＣ−２４５ｆａとの９体積％の混合物であった他は実施例２において記載したものと同等であった。均一な溶液が得られた。
【００３９】
実施例１０：
本実施例の配合物は、キャリア溶媒がＨＦＣ−２４５ｆａとＨＦＣ−４３１０ｍｅｅとの７０／３０混合物（体積比）であった他は実施例２において記載したものと同等であった。均一な溶液が得られた。
【００４０】
実施例１１：
本実施例の配合物は、キャリア溶媒としてＨＦＣ−２４５ｆａとＨＦＣ−４３１０ｍｅｅとの５０／５０混合物（体積比）を用いた他は実施例１０に記載したものと同等であった。均一な溶液が得られた。
【００４１】
実施例１２：
下記の配合物を含むエアロゾル缶を製造するために以下の実施例を行った。
ニンヒドリン（０．７３３８ｇ、４．１２×１０−３モル）を５ｍＬのエタノール中に溶解した。この画像化剤溶液を２００ｍＬのＨＦＣ−２４５ｆａに加え、内容物を３００ｍＬのエアロゾル缶中に配置した。配合物用の噴射剤としてＨＦＣ−１３４ａ（３０ｇ）を加えた。均一な溶液が得られた。この混合物を用いて、種々の物品上の潜在指紋を噴霧現像した。
【００４２】
以下の実施例は、本発明の配合物を用いる潜在指紋の現像を説明する。
実施例１３：
潜在指紋の残留物を有するコピー紙の片を、実施例２において記載した配合物中に１０秒間浸漬し、次に５秒間浸漬することによってＨＦＣ−２４５ｆａですすぎ、次に湿潤空気中約１００℃において乾燥した。この溶液から得られた結果は、明確な隆線を有する身性によく見える紫色の指紋であった。
【００４３】
実施例１４：
本実施例は、物品をファイルカード用紙に変えた他は実施例１３において記載した手順にしたがった。この溶液から得られた結果は、明確な隆線を有する非常によく見える紫色の指紋であった。
【００４４】
実施例１５：
本実施例は、物品を白黒の新聞印刷物に変えた他は実施例１３において記載した手順にしたがった。この溶液から得られた結果は、明確な隆線を有する非常によく見える紫色の指紋であった。
【００４５】
実施例１６：
本実施例は、物品をカラーの新聞印刷物に変えた他は実施例１３において記載した手順にしたがった。この溶液から得られた結果は、明確な隆線を有する非常によく見える紫色の指紋であった。
【００４６】
実施例１７：
本実施例は、物品をマニラ封筒に変えた他は実施例１３において記載した手順にしたがった。この溶液から得られた結果は、明確な隆線を有する非常によく見える紫色の指紋であった。
【００４７】
実施例１８：
本実施例は、物品を褐色紙袋に変えた他は実施例１３において記載した手順にしたがった。この溶液から得られた結果は、明確な隆線を有する非常によく見える紫色の指紋であった。
【００４８】
実施例１９：
本実施例は、物品をボール紙に変えた他は実施例１３において記載した手順にしたがった。この溶液から得られた結果は、明確な隆線を有する非常によく見える紫色の指紋であった。
【００４９】
実施例２０：
本実施例は、物品を黄色のPost-it付箋紙に変えた他は実施例１３において記載した手順にしたがった。この溶液から得られた結果は、明確な隆線を有する非常によく見える紫色の指紋であった。
【００５０】
実施例２１：
本実施例は、物品を紙幣に変えた他は実施例１３において記載した手順にしたがった。この溶液から得られた結果は、明確な隆線を有する非常によく見える紫色の指紋であった。
【００５１】
実施例２２：
実施例１２のエアロゾル配合物を用い、コピー紙の片に現像剤配合物を５秒間噴霧し、次にニートのＨＦＣ−２４５ｆａ中で第２のすすぎを行った。湿潤空気中約１００℃で乾燥すると、よく現像された非常によく見える紫色の指紋隆線が得られた。
【００５２】
実施例２３：
本実施例は、物品をファイルカード用紙に変えた他は実施例２２において記載した手順にしたがった。この溶液から得られた結果は、明確な隆線を有する非常によく見える紫色の指紋であった。
【００５３】
実施例２４：
本実施例は、物品を白黒の新聞印刷物に変えた他は実施例２２において記載した手順にしたがった。この溶液から得られた結果は、明確な隆線を有する非常によく見える紫色の指紋であった。
【００５４】
実施例２５：
本実施例は、物品をカラーの新聞印刷物に変えた他は実施例２２において記載した手順にしたがった。この溶液から得られた結果は、明確な隆線を有する非常によく見える紫色の指紋であった。
【００５５】
実施例２６：
本実施例は、物品をマニラ封筒に変えた他は実施例２２において記載した手順にしたがった。この溶液から得られた結果は、明確な隆線を有する非常によく見える紫色の指紋であった。
【００５６】
実施例２７：
本実施例は、物品を褐色紙袋に変えた他は実施例２２において記載した手順にしたがった。この溶液から得られた結果は、明確な隆線を有する非常によく見える紫色の指紋であった。
【００５７】
実施例２８：
本実施例は、物品をボール紙に変えた他は実施例２２において記載した手順にしたがった。この溶液から得られた結果は、明確な隆線を有する非常によく見える紫色の指紋であった。
【００５８】
実施例２９：
本実施例は、物品を黄色のPost-it付箋紙に変えた他は実施例２２において記載した手順にしたがった。この溶液から得られた結果は、明確な隆線を有する非常によく見える紫色の指紋であった。
【００５９】
実施例３０：
本実施例は、物品を紙幣に変えた他は実施例２２において記載した手順にしたがった。この溶液から得られた結果は、明確な隆線を有する非常によく見える紫色の指紋であった。
【００６０】
実施例３１：
本実施例は、ＨＦＣ及びＨＦＥから調製される混合キャリア溶媒の使用を示す。
ＨＦＣ−２４５ｆａとＨＦＥ−７１００の５０／５０混合物（体積比）を調製した。５０ｍＬのこの混合物に、０．７５ｍＬのエタノール中に溶解したニンヒドリン（０．１１６４ｇ、６．６×１０−４モル）を加えた。潜在指紋を有するコピー紙、マニラ封筒、及び新聞印刷物を、この配合物中に１０秒間浸漬し、次に湿潤空気を含む１００℃において乾燥した。全てのケースにおいて、指紋の隆線が良好に現像された。
【００６１】
実施例３２：
本実施例は、ＨＦＣ−２４５ｆａ／ＨＦＥ−７１００の混合比を７０／３０に変えた他は実施例３１と同様であった。全ての指紋が良好に現像された。
【００６２】
実施例３３：
本実施例は、更に他の共溶媒と共にＨＦＣを使用することを示す。
ニンヒドリン（０．１５９４ｇ、８．９×１０−４モル）を０．７３ｍＬのエタノール中に溶解した。この溶液を、ＨＦＣ−２４５ｆａ及びトランスジクロロエチレン（９重量％）を含む３０ｍＬの共溶媒溶液に加えた。コピー紙から潜在指紋が得られた。
【００６３】
実施例３４：
本実施例は、本発明の溶媒に種々のインクを曝露した結果を説明する。
以下のインク試料：黒色又は青色ボールペン（Papermate）、フレアペン、ゲルペン（Avery）、及びシャーピーペン；でコピー紙上に描線した。紙を、実施例２で記載した配合物中に１０秒間浸漬した。インクの縞状化は起こらなかった。浸漬を更に１２サイクル繰り返して行った。いずれのインクも縞状化は起こらなかった。
【００６４】
本発明は、種々の物品に指紋画像化剤を移送する環境に優しい解決策を提供する。好ましい態様の種々の修正は、特許請求の範囲によって規定される本発明の精神及び範囲から逸脱することなく当業者に想到しうる。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
皮膚隆線のパターンの少なくとも一部に対応するパターンで配列されている少なくとも１種類のエクリン誘導化合物を含む、物品の表面上に配置されている潜在バイオメトリクスを用意し；
潜在バイオメトリクスを、ニンヒドリン、ヒドリンダンチン、１，８−ジアザフルオレン−９−オン、１，２−インダンジオン、及びそれらの誘導体から選択される少なくとも１種類の画像化剤、及び少なくとも１種類のＣ３〜Ｃ４ヒドロフルオロカーボンを含むキャリア溶媒を含む現像液と接触させ；そして
画像化剤をエクリン誘導化合物と反応させて顕在生理学的バイオメトリクスを生成させる；
ことを含む、潜在生理学的バイオメトリクスを顕在生理学的バイオメトリクスに変化させる方法。
【請求項２】
ａ．ニンヒドリン、ヒドリンダンチン、１，２−インダンジオン、及び１，８−ジアザフルオレン−９−オンから選択される画像化剤；及び
ｂ．少なくとも１種類のＣ３〜Ｃ４ヒドロフルオロカーボンを含むキャリア溶媒；
を含む組成物。
【請求項３】
ヒドロフルオロカーボンが、１，１，１，３，３−ペンタフルオロプロパン；１，１，２，２，３−ペンタフルオロプロパン；１，１，１，３，３，３−ヘキサフルオロプロパン；１，１，１，２，３，３，３−ヘプタフルオロプロパン；１，１，１，３，３−ペンタフルオロブタン；及びこれらの混合物からなる群から選択される、請求項２に記載の組成物。
【国際調査報告】
2011516236.tif 000002
2011516236.tif 000003
2011516236.tif 000004